(57)【特許請求の範囲】
【請求項１】
第1部分（１）と第2部分（３）を含む可調式排水比例調節器であって、前記第1部分（
１）と第2部分（３）の間に軟質フィルム片（２）が設けられており、前記軟質フィルム
片（２）は第1部分（１）に設けられ、軟質フィルム片（２）と第1部分（１）は相対的に
固定されており、第1部分（１）と第2部分（３）は回動可能に密閉的に接続されており、
前記第1部分（１）の内端面に原水通穴（１３）が設けられ、軟質フィルム片（２）に原
水通穴（１３）に位置を合わせる原水口（２１）が設けられており、前記第2部分（３）
の内管壁に排水比例板（３４）が設けられ、前記排水比例板（３４）に穴径がそれぞれ異
なりかつ円周に沿って配布される複数の濃水通穴（３５）が設けられ、原水通穴（１３）
は何れかの濃水通穴（３５）より直径が大きく、原水口（２１）は何れかの濃水通穴（３
５）より直径が大きくされており、前記原水通穴（１３）から第1部分（１）の内端面の
中心までの距離は濃水通穴（３５）の存在する円周の半径と等しく、かつ濃水通穴（３５
）の存在する円と内端面は同心状にすることにより、前記濃水通穴（３５）と前記原水通
穴の位置は一回りに亘って対応することを特徴とする可調式排水比例調節器。
【請求項２】
請求項１に記載の可調式排水比例調節器であって、複数の濃水通穴（３５）は任意の回
転方向に沿って穴径が順次に増大や減少するものとし、かつ複数の濃水通穴（３５）が排
水比例板（３４）に等角度にて規則的に配列されていることを特徴とする可調式排水比例
調節器。
【請求項３】
請求項１に記載の可調式排水比例調節器であって、前記原水通穴（１４）の寸法は１〜
２ｍｍであり、前記濃水通穴（３５）の寸法は０．３〜１ｍｍであることを特徴とする可
調式排水比例調節器。
【請求項４】
請求項１に記載の可調式排水比例調節器であって、前記第1部分（１）の内管壁に一方
向弁が固定的に設けられており、前記一方向弁（１２）は水通過取付座（１２２）と一定
の跳ね返り力を有する軟質弁片（１２１）からなり、前記水通過取付座（１２２）の外周
壁は第1部分（１）の内壁に密閉に係合されており、前記水通過取付座（１２２）に軟質
弁片（１２１）を押すための心部が設けられるとともに、軟質弁片（１２１）の周辺部を
水通過取付座（１２２）の先部に弾性的に抵触して密閉させることを特徴とする可調式排
水比例調節器。
【請求項５】
請求項１に記載の可調式排水比例調節器であって、前記軟質フィルム片（２）は底面（
２２）と側壁（２３）を有し、底面（２２）に底面環形シールビード（２２１）が設けら
れ、側壁（２３）に側壁環形シールビード（２３１）が設けられており、前記底面環形シ
ールビード（２２１）の直径は原水口（２１）から軟質フィルム片（２）の中心までの距
離より大きいことを特徴とする可調式排水比例調節器。
【請求項６】
請求項１に記載の可調式排水比例調節器であって、前記第1部分（１）と第2部分（３）
の接触位置にＯ形状防水リング（２４）が設けられていることを特徴とする可調式排水比
例調節器。
【請求項７】
請求項１に記載の可調式排水比例調節器であって、前記第1部分（１）と軟質フィルム
片（２）の接触面にさらに水圧平衡溝（１４）が設けられており、水圧平衡溝（１４）と
原水通穴１３が互いに連通し、かつ前記原水通穴１３の孔壁に水圧平衡溝１４に互いに連
通する欠口が設けられていることを特徴とする可調式排水比例調節器。
【請求項８】
請求項１に記載の可調式排水比例調節器であって、前記排水比例板（３４）と第2部分
（３）の水出口の間に水通過ブラケット（３３）が設けられており、水通過ブラケット（
３３）の内端が前記排水比例板（３４）の中部に抵触し、複数の濃水通穴（３５）が排水
比例板（３４）の外周側部を回っており、水通過ブラケット（３３）と排水比例板（３４
）の外周側部の間に水通過隙間が備えられており、複数の濃水通穴（３５）の流出端が水
通過隙間に対応することを特徴とする可調式排水比例調節器。
【請求項９】
請求項１に記載の可調式排水比例調節器であって、第1部分（１）は快速ジョイント（
１１）を備え、第2部分（３）は快速ジョイント（３１）を備えており、前記可調式排水
比例調節器は第1部分（１）と第2部分（３）における快速ジョイントを介して管路に接続
するものであり、
前記第1部分（１）の外壁にその円周に沿って均一に配布される複数の目盛り（１５）
が設けられており、目盛り（１５）間の間隔角度と排水比例板（３４）における濃水通穴
（３５）間の間隔角度とは一致し、かつ目盛り（１５）の位置は排水比例板（３４）にお
ける濃水通穴（３５）の位置に対応しており、前記第2部分（３）の外壁に目盛りを指示
するためのポインタ（３２）が設けられており、
前記第1部分（１）にスナップボタン（１６）が設けられ、前記第2部分（３）の相応位
置にスナップボタン（１６）に係合されるバタン溝（３７）が設けられており、バタン溝
（３７）は第2部分（３）の内壁に沿って周方向等角度にて配布され、その分隔角度は排
水比例板（３４）における濃水通穴（３５）の分隔角度に一致しており、
前記可調式排水比例調節器はプラスチック材料から製成され、
前記可調式排水比例調節器は管状のものとし、
前記可調式排水比例調節器は使用のときにおいて水流方向は第1部分（１）から第2部分
（３）へと流れるように構成される、
ことを特徴とする可調式排水比例調節器。
【発明の詳細な説明】
【技術分野】
【０００１】
本発明は排水比例調節器に関し、具体的に可調式排水比例調節器に関する。
【背景技術】
【０００２】
浄水器は逆浸透膜によって水道水を浄化する。水道水は圧縮され逆浸透膜を通させて、清
水と濃水の両部分に分けて、清水と濃水の比例は排水比となる。今現在市販される浄水機
において、排水率が１：１から１：３であるものが一般的である。排水比の高いか低いか
は、水温や水質、水圧と密接な関係がある。
【０００３】
排水比例調節器の作用は限流である。これは、上遊側のＲＯフィルム（逆浸透膜）にある
程度の動作圧力を保持させるためである。ＲＯマシン（逆浸透マシン）では、ＲＯフィル
ムにより、浸透圧より大きい工作環境を作り、純水の流量をコントロールできる。排水比
調節器は純水機の安全性に対して非常に重要である。排水比は一旦塞ぐほど変わると、Ｒ
Ｏフィルムにおける不純物は速やかに洗い流せなくなる。この場合、ＲＯフィルムの使用
寿命は大いに短縮され、短時間のうちＲＯフィルムは閉塞が発生し、廃棄されることに至
る。
【０００４】
従来の排水比調節器は、洗浄用電磁弁に並列に接続して使用される。洗浄用電磁弁をオン
にさせると、洗浄用電磁弁を通す圧力は排水比調節器よりかなり小さく、水は洗浄用電磁
弁を通すが、排水比調節器を通さないので、排水流量は大きく増加する。こうすると、Ｒ
Ｏフィルムを通す流量も増加し、ＲＯフィルムにおける不純物は洗浄されるようにできる
。
ところが、従来の排水比調節器は水流量を調節できない。規格はそれぞれ次のように３０
０ＣＣ、４５０ＣＣ、５００ＣＣ、６００ＣＣ、８００ＣＣ、１２００ＣＣ等がある。３
００ＣＣであれば、最大水流量は３００ｍＬと示す。もし逆浸透浄水器は例えば関東地方
に組み立てるならば、中国カントウ地方の水質が優良なので、３００ＣＣの排水比調節器
を採用しても適切になると言われる。しかし、逆浸透浄水器は水質がよくない中国北方地
方に組み立てられるとしたら、３００ＣＣの排水比例調節器はまだまだ足りなく、ＲＯフ
ィルムの使用寿命が大いに短縮されるおそれがある。この場合、水流量がより大きい排水
比調節器、例えば６００ＣＣのものを採用すべきである。
【０００５】
多くの場合は、水質は絶え間なく変化している。よい状態から悪い状態へ変化することが
ある。この場合、いずれかの規格の排水比調節器を採用しても、変化中の水質要求を満た
すことは不可能である。
【０００６】
２０１７年５月３日に公開した中国特許第２０６１４５２１６Ｕ号の中国発明特許におい
て、可調節の排水比例調節器を披露したが、その構成が複雑で、コストも高い。
【発明の概要】
【０００７】
本発明の目的は可調式排水比例調節器を提供し、該排水比例調節器は異なる寸法の複数の
濃水通穴を備えており、回転によって排水比を調節するものであり、構成が簡単で、調節
排水比の調整を便利にさせるという目的を謀る。
【０００８】
上記発明の目的を実現するために、本発明は以下の技術案を採用する。第1部分と第2部分
を含む可調式排水比例調節器であって、前記第1部分と第2部分の間に軟質フィルム片が設
けられており、前記軟質フィルム片は第1部分に設けられ、軟質フィルム片と第1部分は相
対的に固定されており、第1部分と第2部分は回動可能に密閉的に接続されており、前記第
1部分の内端面に原水通穴が設けられ、軟質フィルム片に原水通穴に位置を合わせる原水
口が設けられており、前記第2部分の内管壁に排水比例板が設けられ、前記排水比例板に
穴径がそれぞれ異なりかつ円周に沿って配布される複数の濃水通穴が設けられ、原水通穴
は何れかの濃水通穴より直径が大きく、原水口は何れかの濃水通穴より直径が大きくされ
ており、前記原水通穴から第1部分の内端面の中心までの距離は濃水通穴の存在する円周
の半径と等しく、かつ濃水通穴の存在する円と内端面は同心状にすることにより、前記濃
水通穴と前記原水通穴の位置は一回りに亘って対応することができる。
【０００９】
好ましくは、複数の濃水通穴は任意の回転方向に沿って穴径が順次に増大や減少するもの
とし、かつ複数の濃水通穴が排水比例板に等角度にて規則的に配列されている。
【００１０】
好ましくは、前記原水通穴の寸法は１〜２ｍｍであり、前記濃水通穴の寸法は０．３〜１
ｍｍである。
【００１１】
好ましくは、前記第1部分と第2部分はスナップリングを介して接続され、このスナップリ
ングは円状のオープンリングであり、スナップリングの内側に第1部分と第2部分の軸方向
変位を制限するための少なくとも一つのスナップ部品が設けられており、第2部分の接続
部は第1部分の接続部の外側に挿装により接続されており、これら接続部の挿装接続位置
において、第2部分の外壁にスナップリングに対応する取付挿通溝が設けられ、第1部分の
接続部に環形スナップ溝が設けられており、スナップリングが外力により変形して取付挿
通溝に外嵌し係入れると、スナップ部品が径内方側に突出して環形スナップ溝に係入する
。スナップリングによって、第1部分と第2部分を回転可能に接続することが可能となり、
第1部分と第2部分の間は軸方向に脱離不可能かつ周方向に回動可能となり、発明の目的を
実現する。
【００１２】
好ましくは、前記第1部分の内管壁に一方向弁が固定的に設けられており、前記一方向弁
は水通過取付座と一定の跳ね返り力を有する軟質弁片からなり、前記水通過取付座の外周
壁は第1部分の内壁に密閉に係合されており、前記水通過取付座に軟質弁片を押すための
心部が設けられるとともに、軟質弁片の周辺部を水通過取付座の先部に弾性的に抵触して
密閉させる。排水比例調節器調節器において、塞いで逆流現象が発生することを防ぐため
に、第1部分に一つの一方向弁を設け、逆流を防止する。上記一方向弁は好ましいものと
して採用されるもので、構成が簡単で、第1部分の管路内に取り付ける。
【００１３】
好ましくは、前記軟質フィルム片は底面と側壁を有し、底面に底面環形シールビードが設
けられ、側壁に側壁環形シールビードが設けられており、前記底面環形シールビードの直
径は原水口から軟質フィルム片の中心までの距離より大きい前記底面環形シールビードと
第2部分の接触面は回転に影響を与えない線接触である。前記側壁環形シールビードと第2
部分の接触面は回転に影響を与えない線接触である。軟質フィルム片と第2部分の接触面
は一般的な面接触による防水ではなく、2コースの線接触防水リングを採用するものとす
る。これは特に、本調節器の回転要求を満たすためである。
【００１４】
好ましくは、前記第1部分と第2部分の接触位置にＯ形状防水リングが設けられている。Ｏ
形状防水リングは第1部分と第2部分の接触位置において押され変形する。接触面も線接触
で防水できる。
【００１５】
好ましくは、前記第1部分と軟質フィルム片の接触面にさらに水圧平衡溝が設けられてお
り、水圧平衡溝と原水通穴が互いに連通し、かつ前記原水通穴の孔壁に水圧平衡溝に互い
に連通する欠口が設けられている。軟質フィルム片は、第1部分と第2部分の間は相対回動
も可能とし、密閉の効果も奏するために設けられる。濃水通穴の径は原水通穴より小さく
、水流が原水通穴から流出する時に、ある程度の圧力が存在している。原水通穴が濃水通
穴に対向しなければならないため、原水通穴が円心に位置し得ず、偏心的に設置される原
水通穴によって第1部分と軟質フィルム片の接触位置は側方向移動が発生し、よって調節
器のシール性に影響を与える。凹溝を設け、且つ原水通穴の壁に水圧平衡溝に連通する欠
口を設けることにより、原水通穴を出る水流が凹溝内に分散するようにできて、原水の軟
質フィルム片に対する衝撃力をバランスさせ、調節器のシール性を保証する。
【００１６】
好ましくは、前記排水比例板と第2部分の水出口の間に水通過ブラケットが設けられてお
り、水通過ブラケットの内端が前記排水比例板の中部に抵触し、複数の濃水通穴が排水比
例板の外周側部を回っており、水通過ブラケットと排水比例板の外周側部の間に水通過隙
間が備えられており、複数の濃水通穴の流出端が水通過隙間に対応する。前記水通過ブラ
ケットは、特に、排水比例板と出水管路の間にある程度の隙間を残すために設けられる。
これにより、接続管の外側端部が直接に前記複数の濃水通穴の出水端に抵触することを防
止する。水通過ブラケットを設けることにより、接続管と濃水出口の間にある程度の隙間
を残すことを保証でき、濃水の排出を便利にさせる。そして、実施際に管路寸法に合わせ
るために該調節器の寸法は小さい方がよいが、プラスチック部品そのものが大寸法ではな
いのに、それに正確に濃水通穴を打ち加工する難しさは大きい。また、プラスチックは収
縮現象が発生することがあり、したがって、精度を保証するために、濃水通穴の配布円周
はできるだけ排水比例板の周縁寄りに配置するべきであり、このため、管路寸法が濃水通
穴の配布円周の寸法より小さいことが存在して、もし接続管が直接に前記排水比例板に抵
触したら、水の出ることに影響を与える。
【００１７】
好ましくは、第1部分は快速ジョイントを備え、第2部分は快速ジョイントを備えており、
前記可調式排水比例調節器は第1部分と第2部分における快速ジョイントを介して管路に接
続する。本調節器の両端はともに快速ジョイントを介して管路に接続されるので、調節器
の応用は便利になる。
【００１８】
好ましくは、前記第1部分の外壁にその円周に沿って均一に配布される複数の目盛りが設
けられており、目盛り間の間隔角度と排水比例板における濃水通穴間の間隔角度とは一致
し、かつ目盛りの位置は排水比例板における濃水通穴の位置に対応しており、前記第2部
分の外壁に目盛りを指示するためのポインタが設けられている。ポインタおよび目盛りに
よって、ユーザの使用が便利となる。
【００１９】
好ましくは、前記第1部分にスナップボタンが設けられ、前記第2部分の相応位置にスナッ
プボタンに係合されるバタン溝が設けられており、バタン溝は第2部分の内壁に沿って周
方向等角度にて配布され、その分隔角度は排水比例板における濃水通穴の分隔角度に一致
している。スナップボタンは微小な変形が許され、回転に影響を与えない。スナップボタ
ンをバタン溝にかかり入れると、ポジションシフトが完成したことを指示する。
【００２０】
好ましくは、前記排水比例板に六つの濃水通穴が設けられる。６ポジション（レベル）の
排水比が調整可能として、様々な水質の排水比例要求を満たすことができる。
【００２１】
好ましくは、前記可調式排水比例調節器はプラスチック材料により製成されるので、コス
トが低い。
【００２２】
好ましくは、前記可調式排水比例調節器は管状の調節器とする。回転の要求を満足するた
めに、該調節器の内管壁は円管状でなければならないが、その外壁形状は特別に限定しな
く、円管状は望ましい。
【００２３】
前記可調式排水比例調節器において、使用中における水流の方向は第1部分から第2部分へ
と流れるが、原則的に、水流が排水比例板から原水通穴へと流れるか、或いは原水通穴か
ら排水比例板へと流れるかに関わらず、両者ともに発明の目的を実現できる。しかし、好
ましくは第1部分から第2部分へと流れる。
【００２４】
従来の技術と比べて、上記技術案を採用した可調式排水比例調節器は、以下のような有益
な効果を達成できる。
一  本発明を採用した可調式排水比例調節器は、回転動作により、排水比を便利に調節で
き、異なる水質に対して最適の排水比を配分することにより、フィルム交換頻度と排水放
出量の間の最優排水比選択を獲得する。
二  本調節器は、密閉効果が良好で、水漏れが発生し難い。
三  本調節器は、構成が簡単で、生産コストが低い。
【図面の簡単な説明】
【００２５】
【図１】図１は本発明にかかる可調式排水比例調節器の実施例の斜視構成模式図である。
【図２】図２は本実施例１中における可調式排水比例調節器の正面構成模式図である。
【図３】図３は図２中におけるＡＡ位置の断面模式図である。
【図４】図４は図３中におけるＢ位置の一部拡大図である。
【図５】図５は図３中におけるＣ位置の一部拡大図である。
【図６】図６は本実施例１中における可調式排水比例調節器の分解構成模式図である。
【図７】図７は本実施例１中における軟質フィルム片の立体構成模式図である。
【図８】図８は本実施例１中における軟質フィルム片の正面構成模式図である。
【図９】図９は本実施例１中における軟質フィルム片の背面構成模式図である。
【図１０】図１０は本実施例１中における凹溝の構成模式図である。
【図１１】図１１は本実施例１中における排水比例板の正面模式図である。
【図１２】図１２は本実施例１中における排水比例板の背面模式図である。
【図１３】図１３は本実施例２の断面図である。［符号の説明］
【００２６】
１  第1部分
１１  快速ジョイント
１２  一方向弁
１２１  弁片
１２２  水通過取付座
１３  原水通穴
１４  水圧平衡溝
１５  目盛り
１６  スナップボタン
２  軟質フィルム片
２ａ  円形鋼片
２ｂ  環形軟質シリカゲルフィルム
２１  原水口
２２  底面
２２１  底面環形シールビード
２３  側壁
２３１  側壁環形シールビード
２４  Ｏ形状防水リング
３  第2部分
３１  快速ジョイント
３２  ポインタ
３３  水通過ブラケット
３４  排水比例板
３５  濃水通穴
３６  スナップリング
３６１  取付挿通溝
３６２  スナップ部品
３６３  環形スナップ溝
３７  バタン溝
【発明を実施するための形態】
【００２７】
以下、図面を参考しながら本発明をさらに説明する。
図１から１２に示すような可調式排水比例調節器は、両端に設けられる快速ジョイントで
便利に管路に取り付けられる管状の調節器である。主体はプラスチック材料から製成され
る。水流方向から順次に、第1部分１と第2部分３である。第1部分１と第2部分３は回動可
能に密閉に接続される。
【００２８】
第1部分１と第2部分３の間に軟質フィルム片２が設けられており、前記軟質フィルム片２
は第1部分１に設けられ、軟質フィルム片２と第1部分１は相対的に固定されている。軟質
フィルム片２は複数の組立溝を備え、第1部分１に固定的に組立することができる。本調
節器は排水比を調節するために回転動作されると、第1部分１と軟質フィルム片２とは相
対固定の状態を保持する。第1部分１の内端面に原水通穴１３が設けられ、軟質フィルム
片２に原水通穴１３に位置を合わせる原水口２１が設けられており、前記第2部分３の内
管壁に排水比例板３４が設けられ、排水比例板３４はその円周に沿って等角度にて配布さ
れる複数の濃水通穴３５を備えている。原水通穴１３は何れかの濃水通穴３５より直径が
大きく、原水口２１は何れかの濃水通穴３５より直径が大きくされており、前記原水通穴
１３から第1部分１の内端面の中心までの距離は濃水通穴３５の存在する円周の半径と等
しく、かつ濃水通穴３５の存在する円と内端面は同心状にすることにより、前記濃水通穴
３５と前記原水通穴の位置は一回りに亘って対応することができる。
理解すべきのは、軟質フィルム片２は第2部分３に設けられても良く、それに応じて、水
流方向は第2部分３から第1部分１へと流れ、この場合、軟質フィルム片２における原水口
２１は濃水通穴３５に合わせて係合することになる。
【００２９】
原水通穴１３と原水口２１の寸法は、最適なシール性に達するために、好ましくは一致す
る。しかし、水流が順調に濃水通穴３５を通り抜けるために、原水通穴１３と原水口２１
の寸法は両方ともに排水比例板３４における最大の濃水通穴３５より大きくされるべきで
ある。
【００３０】
複数の濃水通穴３５は任意の回転方向に沿って穴径が順次に増大や減少するものとし、か
つ複数の濃水通穴３５が排水比例板３４に等角度にて規則的に配列されている。
適当な排水比選択範囲を図るためである。本装置の原水通穴の寸法は１〜２ｍｍであり、
前記濃水通穴の寸法は０．３〜１ｍｍである。
【００３１】
上記第1部分１と第2部分３はスナップリング３６によって回転可能に密閉に接続されるよ
うになる。第1部分１と第2部分３はスナップリング３６を介して接続され、このスナップ
リングは円状のオープンリングであり、スナップリング３６の内側に第1部分１と第2部分
３の軸方向変位を制限するための少なくとも一つのスナップ部品３６２が設けられており
、第2部分３の接続部は第1部分１の接続部の外側に挿装により接続されており、これら接
続部の挿装接続位置において、第2部分３の外壁にスナップリングに対応する取付挿通溝
３６１が設けられ、第1部分１の接続部に環形スナップ溝３６３が設けられており、スナ
ップリング３６が外力により変形して取付挿通溝３６１に外嵌し係入れると、スナップ部
品３６２が径内方側に突出して環形スナップ溝３６３に係入するように構成される。
【００３２】
逆流を防止するために、第1部分１の内管壁にさらに一方向弁が固定的に設置される。本
調節器は浄水器の管路に取り付ける必要があるのでその寸法が小さくて、このため、好ま
しくは一方向弁１２は水通過取付座１２２と一定の跳ね返り力を有する軟質弁片１２１か
らなり、前記水通過取付座１２２の外周壁は第1部分１の内壁に密閉に係合されており、
前記水通過取付座１２２に軟質弁片１２１を押すための心部が設けられるとともに、軟質
弁片１２１の周辺部を水通過取付座１２２の先部に弾性的に抵触して密閉させるように構
成される。
【００３３】
前記底面環形シールビード２２１と第2部分３の接触面は回転に影響を与えない線接触と
する。前記側壁環形シールビード２３１と第2部分３の接触面は回転に影響を与えない線
接触とする。第1部分１と第2部分３の接触位置にＯ形状防水リング２４が設けられる。
【００３４】
軟質フィルム片２の側壁２３に第1コースの防水ラインとして側壁環形シールビード２３
１が設けられ、軟質フィルム片２の底面２２に第2コースの防水ラインとして底面環形シ
ールビード２２１が設けられ、第1部分１と第2部分３の接触位置に第三コースの防水ライ
ンとしてＯ形状防水リング２４が設けられる。3コースの防水ラインによって有効的に本
調節器のシール性要求を満たす。また、線型密閉となるので、該密閉手段は本調節器の回
転に影響を与えない。
【００３５】
第1部分１と軟質フィルム片２の接触面にさらに水圧平衡溝１４が設けられる。水圧平衡
溝１４と原水通穴１３が互いに連通し、かつ前記原水通穴１３の壁に水圧平衡溝１４に互
いに連通する欠口が設けられる。欠口を設けることによって、水流が原水通穴１３を経る
と、圧力の作用で早速に水圧平衡溝１４まで拡散するようにできる。これにより、水流の
軟質フィルム片２に対する圧力は軟質フィルム片全体の底部までは均一となり、このため
、軟質フィルム片が側方向に移動して調節器のシール性に影響を与えることを回避できる
。
【００３６】
排水比例板３４と快速ジョイント３１の間に水通過ブラケット３３が設けられる。該水通
過ブラケットは排水比例板３４と出水管路の間にある程度の隙間を残すために用いられる
。
【００３７】
第1部分１の外壁にその円周に沿って均一に配布される複数の目盛り１５が設けられ、目
盛り１５間の間隔角度と排水比例板３４における濃水通穴３５間の間隔角度とは一致し、
かつ目盛り１５の位置は排水比例板３４における濃水通穴３５の位置に対応している。前
記第2部分３の外壁に目盛りを指示するためのポインタ３２が設けられる。
【００３８】
第1部分１にスナップボタン１６が設けられ、前記第2部分３の相応位置にスナップボタン
１６に係合されるバタン溝３７が設けられる。バタン溝３７は第2部分３の内壁に沿って
周方向等角度にて配布され、その分隔角度は排水比例板３４における濃水通穴３５の分隔
角度に一致する。
【００３９】
排水比例板３４に六つの濃水通穴３５が設けられ、つまり、６ポジションの排水比の調節
需求を満たすことができるものとする。
【００４０】
可調式排水比例調節器はプラスチック材料により作成される。プラスチック材料は塑性が
?く、管路との互換性がよく、シール性も優れる。軟質フィルム片２の材料は主にシリカ
ゲルまたはブチルゴムとする。
【００４１】
本実施例の動作原理
可調排水比を獲得するためには、本発明における排水比例調節器は両側の快速ジョイント
を介して排水管に接続され、この場合、該調節器内壁の寸法は排水比例板３４における濃
水通穴３５より大きくて、限流の作用を奏する。排水比の調節を便利に行い、調節可能と
いう目的を実現するために、本発明において排水比例板にその円周に沿って等角度にて複
数の濃水通穴３５が配布し設置され、この場合、第1部分１と第2部分３が組み立てられる
と、原水通穴１３は一つの濃水通穴３５に対応する。第1部分１と第2部分３を回転するこ
とによって、原水通穴１３と濃水通穴３５の対応関係を変化できる。指示を便利にさせ且
つ回転動作の手触りを強化させるためには、本発明においてさらにスナップボタン１６お
よびバタン溝３７が設けられ、この場合、各バタン溝３７は一つの濃水通穴３５に対応す
る。第1部分と第2部分を回動するときに、スナップボタン１６にわずかな変形が発生した
ので、回転への影響はなかった。スナップボタン１６をバタン溝３７に係入れ、1ポジシ
ョン分の排水比の調節を行うときに、明らかな手触りの変化が発生した。濃水通穴３５は
、管路内に位置するので、ユーザに外から見られることができないので、便利になるため
に、さらに目盛り１５およびポインタ３２を設けることにより、容易に正しく排水比を指
示することが可能となる。
【００４２】
回転による調節を実現するためには、本実施例中における排水比例調節器はスナップリン
グ３６を介し第1部分１と第2部分３を接続するものとし、スナップリング３６は第1部分
１と第2部分３間の軸方向不動および周方向回動を可能にさせる。
【００４３】
回転機能に加えて、シール性も確保するためには、本実施例中における排水比例調節器に
おいて、第1部分１と第2部分３の間に軟質フィルム片２が設けられ、この場合、軟質フィ
ルム片２は組立溝によって第1部分１に取り付けられ、回転過程において第1部分１と相対
固定の状態を保持する。軟質フィルム片２の底面２２に第1コースの防水ラインとして底
面環形シールビード２２１が設置される。軟質フィルム片２の側壁２３に第2コースの防
水ラインとして側壁環形シールビード２３１が設置される。第1部分１と第2部分２の間に
さらに第3コースの防水ラインとしてＯ形状防水リング２４が設置される。上記3コースの
防水ラインのいずれも密閉面と線接触であり、シール性を保証するとともに、第1部分１
と第2部分３間の回転性に影響を与えない。
【００４４】
また、理解すべきのは、本実施例中における排水比例調節器はその使用過程において水流
の衝撃によって軟質フィルム片２を緊密に排水比例板に貼合させるので、軟質フィルム片
２と排水比例板の間にリークが発生する確率が大幅に低下される。使用終了の際に、回転
して排水比を調節するときにおいて、軟質フィルム片２と排水比例板の間に隙間が存在す
るが、この場合、上記3コースの防水ラインによって調節器全体のシール性を保証する。
【００４５】
水流が原水通穴１３から軟質フィルム片２における原水口２１へと流れるときにおいて、
軟質フィルム片２がバランス的に受圧されるためには、軟質フィルム片２と第1部分の接
触面が平坦であることを確保する。本実施例はさらに水圧平衡溝１４を含んでいる。原水
通穴１３から軟質フィルム片２へと流れる水流はある程度の圧力があり、そして原水通穴
１３と原水口２１は偏心的に設置されるので、一部で圧力を受けると軟質フィルム片２と
第1部分１の接触面を不平坦にさせやすく、よってシール性が悪くなる。一方、水圧平衡
溝１４を設けることによって、水圧をバランスさせ、調節器のシール性を向上することが
できる。
【００４６】
以上のように本発明の優先実施形態を説明したが、本分野の当業者は本発明原理を脱離し
ない範囲で、若干の変形や改進を作成することができ、これらも本発明の保護範囲に属す
べきである。
【００４７】
実施例２
図１３に示すように、本実施例は、実施例１に比べて、おもに、実施例１の軟質フィル
ム片に代えて前記第1部分１と第2部分３間に設置されるフィルム包覆鋼片２を採用するこ
とが異なる。
【００４８】
フィルム包覆鋼片２の具体的な構成は図１３における断面図に示される。フィルム包覆鋼
片２は円形鋼片２ａと環形軟質シリカゲルフィルム２ｂを含む。軟質シリカゲルフィルム
２ｂは円形鋼片２ａの外周側に挿装し設置される。上記第1部分１は先端が面一とし、第2
部分は第1部分の先端を収納する収納溝を備える。収納溝は円柱形の収納空間とし、フィ
ルム包覆鋼片２の環形軟質シリカゲルフィルム２ｂの外周は弾性的に前記収納溝内に係合
され、フィルム包覆鋼片２の環形軟質シリカゲルフィルム２ｂは弾性的に前記第1部分１
の先端と収納溝の溝底の間に挟まれる。
【００４９】
上記フィルム包覆鋼片２は第1部分１に相対的に固定され、第1部分１の先端は第2部分３
の収納溝に突入しかつ回動可能に密閉接続される。
【００５０】
第1部分１の内端面に一つの原水通穴１４が設けられ、円形鋼片２ａに原水通穴１３に係
合される一つの原水口２１が設けられる。第2部分３の収納溝の溝底壁に排水比例板３４
が設けられ、上記排水比例板３４にその円周に沿って等角度にて配布される複数の濃水通
穴３５が設けられ、原水通穴１４の直径は複数の濃水通穴３５中のいずれかよりも大きく
、原水口２１の直径は複数の濃水通穴３５中のいずれかよりも大きい。
【００５１】
濃水通穴３５の存在する円周の半径は前記原水通穴１４から第1部分１の内端面中心まで
の距?と等しく、濃水通穴３５の存在する円周の半径は前記原水口２１から円形鋼片２ａ
の中心までの距?と等しい。
【００５２】
回転機能に加えて、シール性も確保するためには、本実施例中における排水比例調節器に
おいて、第1部分１と第2部分３の間に軟質フィルム片２が設けられ、この場合、フィルム
包覆鋼片２は組立溝によって第1部分１に突出して、回転過程において第1部分１と相対固
定の状態を保持する。フィルム包覆鋼片２の底面に第1コースの防水ラインとして底面環
形シールビードが設置される。フィルム包覆鋼片２の側壁に第2コースの防水ラインとし
て側壁環形シールビードが設置される。第1部分１と第2部分２の間にさらに第3コースの
防水ラインとしてＯ形状防水リングが設置される。上記3コースの防水ラインのいずれも
密閉面と線接触であり、シール性を保証するとともに、第1部分１と第2部分３間の回転性
に影響を与えない。フィルム包覆鋼片２は硬質円形鋼片と環形軟質シリカゲルフィルムの
包覆フィルムを使って、大きい押力でも密閉効果を確保することができ、機能も完備であ
る。
【００５３】
以上のように本発明の優先実施形態を説明したが、本分野の当業者は本発明原理を脱離し
ない範囲で、若干の変形や改進を作成することができ、これらも本発明の保護範囲に属す
べきである。
【要約】      （修正有）【課題】構成が簡単で、排水比の調整が可能な排水比例調節器を提供する。【解決手段】第１部分１と第２部分３を含む可調式排水比例調節器であって、第１部分１と第２部分３の間に軟質フィルム片２が設けられており、第１部分１と第２部分２は回動可能に密閉的に接続されており、第１部分１の内端面に原水通穴が設けられ、軟質フィルム片２に原水通穴に位置を合わせる原水口が設けられており、第２部分３の内管壁に排水比例板３４が設けられ、排水比例板３４に穴径がそれぞれ異なりかつ円周に沿って配布される複数の濃水通穴が設けられ、原水通穴は何れかの濃水通穴より直径が大きく、原水口は何れかの濃水通穴より直径が大きくされており、原水通穴から第２部分３の内端面の中心までの距離は濃水通穴の存在する円周の半径と等しい。排水比例調節器は異なる寸法の複数の濃水通穴を備えており、回転によって排水比を調節する。【選択図】図３【図１】
0006709888.tif 000002
【図２】
0006709888.tif 000003
【図３】
0006709888.tif 000004
【図４】
0006709888.tif 000005
【図５】
0006709888.tif 000006
【図６】
0006709888.tif 000007
【図７】
0006709888.tif 000008
【図８】
0006709888.tif 000009
【図９】
0006709888.tif 000010
【図１０】
0006709888.tif 000011
【図１１】
0006709888.tif 000012
【図１２】
0006709888.tif 000013
【図１３】
0006709888.tif 000014